(57)【要約】【課題】温度異常が生じても直ちに停止させず、間欠運転の１サイクルが過ぎても温度異常が継続するときにのみ停止にすることで、装置の稼働効率を向上させることにある。【解決手段】電力変換装置としてのインバータ装置の内部温度を検出するインバータ内部温度検出センサ１と、この検出温度が予め定めた値を越えたことを検出する温度異常判別コンパレータ２と、間欠運転の運転開始時点から所定の時間を設定するタイマ４と、これら温度異常判別コンパレータ２の出力とタイマ４の出力との論理積を演算する論理積素子５とを備え、この論理積素子５の出力信号で前記インバータ装置を停止させる。前記タイマ４の設定時間は、間欠運転する前記電動機の１サイクル時間よりも長く設定する。【選択図】        図１
2004166435.tif 000002
【特許請求の範囲】
【請求項１】
電力変換装置から間欠運転を行う電動機へ電力を供給する間欠運転電動機用電力変換装置において、
前記電力変換装置の内部温度を検出する温度検出器と、
この検出温度が予め定めた値を越えたことを検出するコンパレータと、
間欠運転の運転開始時点から所定の時間を設定するタイマと、
これらコンパレータの出力とタイマの出力との論理積を演算する論理積素子とを備え、
この論理積素子の出力信号で前記電力変換装置を停止させることを特徴とする間欠運転電動機用電力変換装置の温度保護装置。
【請求項２】
請求項１に記載の間欠運転電動機用電力変換装置の温度保護装置において、
前記タイマの設定時間は、間欠運転する前記電動機の１サイクル時間よりも長く設定することを特徴とする間欠運転電動機用電力変換装置の温度保護装置。
【発明の詳細な説明】
【０００１】
【発明の属する技術分野】
この発明は、間欠運転する電動機へ電力を供給する電力変換装置の温度上昇を保護する間欠運転電動機用電力変換装置の温度保護装置に関する。
【０００２】
【従来の技術】
エレベータや立体駐車場などに使用する電動機は、運転と停止が交互に繰り返される間欠運転である。またこの電動機は回転速度を変化させる必要がある。そこでこのような用途に、かっては直流電動機が使用されていたが、現在では構造が簡単で丈夫であり保守・点検も容易な誘導電動機を使用し、電力変換装置としてのインバータ装置が出力する可変電圧可変周波数の交流電力でこの誘導電動機を所望の回転速度で駆動するようにしている組み合わせが、多用されるようになってきている。
【０００３】
そして、誘導電動機を使用したエレベータの間欠運転装置において、温度上昇時に装置を保護するものも多く見られるようになってきている（例えば、特許文献１参照）。
図２は間欠運転する電動機へ電力を供給するインバータ装置の温度保護装置の従来例を示したブロック回路図であって、図示を省略しているインバータ装置には、その内部温度を検出するためのインバータ内部温度検出センサ１を備えている。このインバータ内部温度検出センサ１が検出する温度信号は、温度異常判別コンパレータ２へ入力しており、検出温度が予め定めた異常値を越えれば、この温度異常判別コンパレータ２から温度異常を知らせる信号が論理和素子３へ入力される。この論理和素子３へはこの温度異常信号の他に、例えばインバータ装置の過電流信号や過電圧信号なども入力しており、これら各異常信号が入力すれば、その論理和演算の結果としてインバータ装置停止指令が論理和素子３から発令される。
【０００４】
【特許文献１】
特開平６−２２５５５８号公報
【０００５】
【発明が解決しようとする課題】
ところでこのように間欠運転をする電動機へ電力を供給しているインバータ装置の温度が上昇する原因としては、通流電流の過大や冷却風量の減少（例えば冷却ファンの停止や回転速度の低下または冷却空気通路のフィルタ目詰まりなど）が考えられる。これらのうちで通流電流の過大は機械装置の異常が原因であることが多く、直ちに停止しなければならない重故障であって、論理和素子３には別途に過電流信号が入力するようになっている。しかし冷却風量の減少は過電流に比べれば軽度の故障であるし、立体駐車場などが装置の設置されている場所の雰囲気は良好とは言いがたいことが多いから、フィルタの目詰まりや冷却ファンの不調などは発生し易く、このような軽故障の発生の都度に機械装置が停止すると、自動車が駐車場の途中で停止してしまって、入庫や出庫が滞ってしまう不都合を生じる。
【０００６】
そこでこの発明の目的は、温度異常が生じても直ちに停止させず、間欠運転の１サイクルが過ぎても温度異常が継続するときにのみ停止にすることで、装置の稼働効率を向上させることにある。
【０００７】
【課題を解決するための手段】
前記の目的を達成するために、この発明の間欠運転電動機用電力変換装置の温度保護装置は、
電力変換装置の内部温度を検出する温度検出器と、この検出温度が予め定めた値を越えたことを検出するコンパレータと、間欠運転の運転開始時点から所定の時間を設定するタイマと、これらコンパレータの出力とタイマの出力との論理積を演算する論理積素子とを備え、この論理積素子の出力信号で前記電力変換装置を停止させる。
【０００８】
前記タイマの設定時間は、間欠運転する前記電動機の１サイクル時間よりも長く設定する。
【０００９】
【発明の実施の形態】
図１は本発明の実施例を表したブロック回路図である。この実施例回路において、図示を省略しているインバータ装置には、その内部温度を検出するためのインバータ内部温度検出センサ１と、これが検出する温度信号が予め定めた異常値を越えれば温度異常を知らせる信号を出力する温度異常判別コンパレータ２を備えるのは、図２で既述の従来例回路の場合と同じである。
本発明では，間欠運転する電動機が運転を開始する度に所定時間を計時するタイマ４と、このタイマ４の出力信号と温度異常判別コンパレータ２の出力信号の論理積を演算する論理積素子５を備えており、この論理積素子５の出力信号が他の異常信号（例えば過電流や過電圧）と共に論理和素子３へ入力するようになっている。この論理和素子３は各入力信号の論理和を演算し、その演算結果がインバータ装置の停止指令となる。
【００１０】
ここでタイマ４で設定する所定時間を、間欠運転する電動機の１サイクルに相当する時間よりも長く設定しておくならば、インバータ装置の温度が予め定めた値を越えた場合でも、１サイクルの時間は電動機の運転を継続できるから、機械装置が途中で停止してしまうような不具合を回避できる。なお、温度異常判別コンパレータ２が温度異常を検出した場合は、タイマ４の動作時限前であっても、温度異常が発生したむねの警報を発する回路が別途に備えられている。
【００１１】
【発明の効果】
従来の電力変換装置は、これの負荷が間欠運転する電動機の場合であっても、連続運転する場合と同様に、電力変換装置の温度が予め定めた値を越えれば停止信号を発令するように保護回路が構成されていたから、冷却空気の通路にあるフィルタの目詰まりが原因で温度が上昇するような軽故障であっても、直ちに電力変換装置の運転を停止させていたので、機械装置も途中で止まってしまうような不都合を生じていた。
これに対して本発明では、電力変換装置の温度が予め定めた値を越えた場合でも、間欠運転する電動機の１サイクルを越えてこの異常温度が継続するのでなければ、電力変換装置の停止指令は発令されないから、１サイクルに相当する時間内ならば、そのまま運転を継続できる。従って機械装置が途中で停止してしまうような不都合を回避できる効果が得られる。
【図面の簡単な説明】
【図１】本発明の実施例を表したブロック回路図
【図２】間欠運転する電動機へ電力を供給するインバータ装置の温度保護装置の従来例を示したブロック回路図
【符号の説明】
１    インバータ内部温度検出センサ
２    温度異常判別コンパレータ
３    論理和素子
４    タイマ
５    論理積素子
【図１】
2004166435.tif 000003
【図２】
2004166435.tif 000004